(57)【要約】      （修正有）【課題】成果物が複数に分かれた場合でも、成果物の管理を容易に行えるようにできる情報処理システムを提供すること。【解決手段】情報処理装置と、複数の撮影装置と、を有する情報処理システムにおいて、複数の作業工程の項目を示す作業工程データと、第１ジョブＩＤの情報を含む第１伝票を示す第１画像と、前記第１伝票に対応する第１成果物が、複数になったことを示す入力を受け付ける受付部と、前記第１ジョブＩＤに区別情報を付与した第２ジョブＩＤを生成するジョブＩＤ生成部と、前記第２ジョブＩＤに基づいて、第２カラーコードデータを生成するカラーコード画像生成部と、前記第２ジョブＩＤに対応する情報と、に基づいて第１伝票とは異なる第２伝票を示す第２画像データを生成する画像データ生成部と、撮影画像取得部と、前記第２カラーコードデータを抽出するカラーコード抽出部と、前記作業工程の状態を特定する特定部とを備える。【選択図】図１５
2020155118.tif 000002
【特許請求の範囲】
【請求項１】
情報処理装置と、複数の撮影装置と、を有する情報処理システムであって、
前記情報処理装置は、
複数の作業工程の項目を示す作業工程データと、第１ジョブＩＤの情報を含む第１伝票を示す第１画像と、第１の作業工程によって、前記第１伝票に対応する第１成果物が、複数になったことを示す入力を受け付ける受付部と、
前記第１ジョブＩＤに区別情報を付与した第２ジョブＩＤを生成するジョブＩＤ生成部と、
前記第２ジョブＩＤに基づいて、第２カラーコードデータを生成するカラーコード画像生成部と、
前記第２カラーコードデータと、前記第１ジョブＩＤと、前記第２ジョブＩＤと、前記作業工程データと、を対応付けて記憶する記憶部と、
前記第２カラーコードデータと、前記第２ジョブＩＤに対応する情報と、に基づいて、第１伝票とは異なる第２伝票を示す第２画像データを生成する画像データ生成部と、
前記撮影装置が、前記画像データ生成部が生成した前記第２画像データに基づいて被記録媒体上に形成された前記第２伝票を撮影して生成した撮影画像データと、前記撮影装置の識別情報を取得する撮影画像取得部と、
前記撮影画像取得部が取得した前記撮影画像データに基づいて、前記第２カラーコードデータを抽出するカラーコード抽出部と、
前記識別情報と、前記カラーコード抽出部が抽出した前記第２カラーコードデータと、前記記憶部が記憶する前記第２カラーコードデータと、前記記憶部が記憶する前記第２ジョブＩＤと、前記作業工程データと、に基づいて、前記作業工程の状態を特定する特定部と
を備えることを特徴とする情報処理システム。
【請求項２】
前記記憶部は、前記撮影装置と、作業工程の状態と、を対応付けて記憶していることを特徴とする
請求項１に記載の情報処理システム。
【請求項３】
前記受付部は、前記第１の作業工程によって、前記第１伝票に対応する前記第１成果物が分かれた数を受け付け、
前記記憶部は、前記数と、前記第２カラーコードデータと、前記第２ジョブＩＤと、前記作業工程データと、を対応付けて記憶し、
前記特定部は、前記数と、前記撮影装置と、前記カラーコード抽出部が抽出した前記第２カラーコードデータと、前記記憶部が記憶する前記第２カラーコードデータと、前記記憶部が記憶する前記第１ジョブＩＤと、前記記憶部が記憶する前記第２ジョブＩＤと、に基づいて、前記第１の作業工程の次に行う第２の作業工程を開始できるかどうかを判断することを特徴とする
請求項２に記載の情報処理システム。
【請求項４】
前記特定部は、前記第１の作業工程によって、前記第１伝票に対応する前記第１成果物が分かれたことにより生成され、前記カラーコード抽出部が抽出した複数の前記第２カラーコードデータが、前記数と同じ数である場合、前記第２の作業工程を開始することができると判断することを特徴とする
請求項３に記載の情報処理システム。
【請求項５】
前記特定部は、前記撮影装置と、前記カラーコード抽出部が抽出した第１カラーコードデータ又は前記第２カラーコードデータと、前記記憶部が記憶する第１カラーコードデータ又は前記第２カラーコードデータと、前記記憶部が記憶する前記第１ジョブＩＤ又は前記第２ジョブＩＤと、に基づいて、前記第２の作業工程を開始するために必要な成果物の数を情報処理端末へ出力することを特徴とする
請求項３に記載の情報処理システム。
【請求項６】
前記特定部は、前記撮影装置から取得する前記撮影画像データに基づいて、前記第１伝票又は前記第２伝票の位置を判断し、
情報処理端末は、さらに、前記特定部から前記判断を受け取って表示部を制御する表示制御部を備え、
前記表示制御部は、前記表示部に、
前記第１の作業工程により作成される成果物を保管する場所である保管場所に対応する画像を表示させ、
前記判断に基づいて、前記保管場所に対応する画像上に、前記第１伝票又は前記第２伝票の位置を示す視覚情報を表示させることを特徴とする
請求項１に記載の情報処理システム。
【請求項７】
前記特定部は、前記撮影装置から取得する前記撮影画像データに基づいて、前記第１伝票又は前記第２伝票の位置を判断し、
情報処理端末は、さらに、前記特定部から前記判断を受け取り、表示部を制御する表示制御部を備え、
前記表示制御部は、前記表示部に、
前記第１の作業工程により作成される成果物を保管する場所である保管場所に対応する画像を表示させ、
前記判断に基づいて、前記保管場所に対応する画像上に、前記第１伝票又は前記第２伝票の位置を示す視覚情報を表示させ、
前記判断に基づいて、前記第２の作業工程を開始できることを示す通知を表示させることを特徴とする
請求項４に記載の情報処理システム。
【請求項８】
前記特定部は、前記撮影装置から取得した前記撮影画像データに基づいて、前記第１伝票又は前記第２伝票の位置を判断し、
情報処理端末は、さらに、前記特定部から前記判断を受け取り表示部を制御する表示制御部を備え、
前記表示制御部は、前記表示部に、前記第１の作業工程により作成される成果物を保管する場所である保管場所に対応する画像を表示させ、
前記判断に基づいて、前記保管場所に対応する画像上に、前記第１伝票又は前記第２伝票の位置を示す視覚情報を表示させ、
前記数に基づいて、前記第２の作業工程の開始に必要な前記第１伝票又は前記第２伝票に対応する成果物の数を表示することを特徴とする
請求項４に記載の情報処理システム。
【発明の詳細な説明】
【技術分野】
【０００１】
本発明は、情報処理システムに関する。
【背景技術】
【０００２】
複数の作業工程からなるジョブの進捗を作業指示書に印刷されたバーコード等を活用して管理することは、従来から行われている。
【０００３】
また、作業者と作業を行う対象（例えば、工場での材料、仕掛品、又は、製品等である。）に対してＲＦＩＤタグを付与し、加工場の入口となる入門ゲートと、加工場の出口となる出門ゲートとにおいてＲＦＩＤタグを読み取ることで、作業者の作業時間と作業を行う対象の流れ（例えば、作業場への入りと出る場合である。）を管理するシステムは、従来から知られている（例えば、特許文献１参照）。
【発明の概要】
【発明が解決しようとする課題】
【０００４】
複数の作業工程からなるジョブの進捗を作業指示書に印刷されたバーコード等を活用して管理する既存システムにおいて、ユーザは、作業指示書を利用して実現していた機能（作業指示書の機能）を残して、新たな機能を追加したい場合がある。しかしながら、従来の技術では、既存システムへの変更を最小限に抑えながら、作業指示書に新たな機能を追加することは、容易でない。
【０００５】
また、従来の技術では、１つのジョブに対して１つの識別情報しかない場合には、その１つのジョブに対応する成果物（例えば、印刷物の束等である。）が複数に分かれた際に、分かれた成果物の管理を個別に行うことが難しい。
【０００６】
本発明の実施の形態は、上記の点に鑑みてなされたもので、成果物が複数に分かれた場合でも、成果物の管理を容易に行えるようにできる情報処理システムを提供することを目的とする。
【課題を解決するための手段】
【０００７】
情報処理装置と、複数の撮影装置と、を有する情報処理システムにおいて、
前記情報処理装置は、
複数の作業工程の項目を示す作業工程データと、第１ジョブＩＤの情報を含む第１伝票を示す第１画像と、第１の作業工程によって、前記第１伝票に対応する第１成果物が、複数になったことを示す入力を受け付ける受付部と、
前記第１ジョブＩＤに区別情報を付与した第２ジョブＩＤを生成するジョブＩＤ生成部と、
前記第２ジョブＩＤに基づいて、第２カラーコードデータを生成するカラーコード画像生成部と、
前記第２カラーコードデータと、前記第１ジョブＩＤと、前記第２ジョブＩＤと、前記作業工程データと、を対応付けて記憶する記憶部と、
前記第２カラーコードデータと、前記第２ジョブＩＤに対応する情報と、に基づいて、第２伝票とは異なる第３伝票を示す第３画像データを生成する画像データ生成部と、
前記撮影装置が、前記画像データ生成部が生成した前記第３画像データに基づいて被記録媒体上に形成された前記第３伝票を撮影して生成した撮影画像データと、前記撮影装置の識別情報を取得する撮影画像取得部と、
前記撮影画像取得部が取得した前記撮影画像データに基づいて、前記第２カラーコードデータを抽出するカラーコード抽出部と、
前記識別情報と、前記カラーコード抽出部が抽出した前記第２カラーコードデータと、前記記憶部が記憶する前記第２カラーコードデータと、前記記憶部が記憶する前記第２ジョブＩＤと、前記作業工程データと、に基づいて、前記作業工程の状態を特定する特定部と
を備えることを特徴とする。
【発明の効果】
【０００８】
本発明の実施の形態によれば、成果物が複数に分かれた場合でも、成果物の管理を容易に行えるようにできる。
【図面の簡単な説明】
【０００９】
【図１】本実施形態に係るジョブ管理システムの一例の構成図である。
【図２】本実施形態に係るジョブ管理システムで利用する作業指示書の一例のイメージ図である。
【図３】コンピュータの一例のハードウェア構成図である。
【図４】作業工程管理システムの一例の機能構成図である。
【図５】記憶部が各種の情報を対応付けて記憶しているテーブルの一例を示す図である。
【図６】記憶部が、撮影装置の一例であるカメラの識別情報と、作業工程の状態とを対応付けて記憶しているテーブルの一例を示す図である。
【図７】印刷工場における作業工程の一例を示したイメージ図である。
【図８】第１ジョブＩＤから第２伝票を作成する処理の一例のフローチャートである。
【図９】カラーコード画像を生成する処理の一例のフローチャートである。
【図１０】３進数を表現可能なコード化ルールについて説明するための図である。
【図１１】光学シンボルにコード化するための情報の例を示す図である。
【図１２】光学シンボルの各セルに割り当てる色数を４色とした場合の光学シンボルの例を示す図である。
【図１３】カラーコード付き作業指示書を作成する処理イメージを示す図である。
【図１４】ゲート通過時のジョブステータス更新処理の一例のフローチャートである。
【図１５】一時保管場所への保管時のジョブステータス更新処理の一例のフローチャートである。
【図１６】作業工程管理システムが表示するＵＩ画面の一例の遷移図である。
【図１７】第２成果物が発生する例を示す図である。
【図１８】第２伝票の作成例を示す図である。
【図１９】第２成果物が発生した場合の作業工程管理システムが表示するＵＩ画面の一例の遷移図である。
【図２０】第３実施形態のシステムの一例を示す図である。
【図２１】情報処理端末のハード構成の一例を示す図である。
【図２２】第３実施形態の機能ブロック図の一例を示す図である。
【図２３】記憶部が各種の情報を対応付けて記憶しているテーブルの一例を示す図である。
【図２４】表示装置で表示する画面の一例を示す図である。
【図２５】メッセージを表示する第１例を示す図である。
【図２６】メッセージを表示する第２例を示す図である。
【図２７】メッセージを表示する第３例を示す図である。
【発明を実施するための形態】
【００１０】
以下、本発明の実施形態について図面を参照しながら説明する。なお、本実施形態では印刷工場におけるジョブの作業工程の管理を、作業指示書（伝票）を利用した機能（作業指示書の機能）により実現するジョブ管理システムを例に説明する。
【００１１】
［第１実施形態］
＜システム構成＞
図１は、本実施形態に係るジョブ管理システムの一例の構成図である。
【００１２】
図２は、本実施形態に係るジョブ管理システムで利用する作業指示書の一例のイメージ図である。
【００１３】
図１に示すジョブ管理システム１では、顧客システム１０、作業工程管理システム１４、プリンタ１６及び１台以上のカメラ１８が、インターネット又はＬＡＮ等のネットワーク２０を介してデータ通信可能に接続される。
【００１４】
顧客システム１０は、顧客が使用する既存システムの一例であって、ジョブＩＤを示すバーコードが表示された図２（Ａ）に示すような顧客システム１０用の作業指示書８００を作成する。
【００１５】
ジョブＩＤは、ジョブを識別する識別情報の一例である。また、顧客システム１０用の作業指示書８００には、顧客システム１０側で利用している少なくとも一つのバーコード画像８０１が表示される。
【００１６】
なお、ジョブＩＤは、顧客システム１０用の作業指示書８００において、バーコード画像８０１で表示されてもよいし、又は、テキストで表示されてもよい。顧客システム１０は、顧客システム１０用の作業指示書８００により実現される既存の機能をユーザに提供する。
【００１７】
作業工程管理システム１４、プリンタ１６及び１台以上のカメラ１８は、作業指示書８００に新たな機能を追加する情報処理システム１２を構成する。作業工程管理システム１４は、複数の作業工程からなるジョブの進捗を、図２（Ｂ）のカラーコード画像８１１が付与された情報処理システム１２用の作業指示書８１０を利用して管理する。管理の詳細は後述する。なお、情報処理システム１２は、後述のようにカラーコード画像８１１からジョブＩＤを特定できる。
【００１８】
プリンタ１６は、情報処理システム１２用の作業指示書８１０を印刷する。
【００１９】
カメラ１８は、印刷工場内のジョブの作業工程に対応付いた場所を撮影可能に設置される。なお、ジョブの作業工程に対応付いた場所とは、作業工程間の移動で印刷物が通過する場所や、印刷物が一時的に保管される一時保管場所等である。
【００２０】
カメラ１８は、ＰＴＺカメラ又はＩＰカメラを利用できる。ＰＴＺカメラは、ＰＴＺ（Ｐａｎ  Ｔｉｌｔ  Ｚｏｏｍ）機能をネットワーク２０経由で操作可能なカメラであって、撮影画像又は撮影動画をネットワーク２０経由で送信可能なカメラである。ＩＰカメラはネットワーク２０経由で操作可能なカメラであって、撮影画像又は撮影動画をネットワーク２０経由で送信可能なカメラである。カメラ１８で撮影された撮影画像又は撮影動画は、ネットワーク２０経由で作業工程管理システム１４に送信される。
【００２１】
作業指示書８００に新たな機能を追加する情報処理システム１２では、情報処理システム１２用の作業指示書８１０が、その作業指示書８１０に対応するジョブの中間生成物又は材料の一例である印刷物に貼付される。作業指示書８１０は、例えば、カメラ１８により撮影されやすいように、印刷物の上に貼付される。
【００２２】
作業工程管理システム１４は、作業指示書８１０を撮影したカメラ１８に対応するジョブの作業工程と、作業指示書８１０のカラーコード画像８１１から特定されたジョブＩＤとに基づいて、ジョブの作業工程の進捗（ジョブの状態）を管理する。また、作業工程管理システム１４はジョブの作業工程の履歴、及び、作業指示書８１０を撮影し、様子を示す撮影画像又は撮影動画を管理する。
【００２３】
なお、図１に示すジョブ管理システム１の構成は一例である。例えば、ジョブ管理システム１は、他のシステムが含まれていてもよいし、作業工程管理システム１４が別の名称であってもよい。作業工程管理システム１４は一台のサーバ環境で実現してもよいし、複数台のサーバ環境で実現するようにしてもよい。
【００２４】
＜ハードウェア構成＞
顧客システム１０及び作業工程管理システム１４は、例えば、図３に示すハードウェア構成のコンピュータ５００（なお、コンピュータ５００は、情報処理装置の一例である。）により実現される。
【００２５】
図３は、コンピュータの一例のハードウェア構成図である。コンピュータ５００は、入力装置５０１、表示装置５０２、外部Ｉ／Ｆ５０３、ＲＡＭ５０４、ＲＯＭ５０５、ＣＰＵ５０６、通信Ｉ／Ｆ５０７、及び、ＨＤＤ５０８等を備え、それぞれがバスＢで相互に接続される。なお、入力装置５０１及び表示装置５０２は、接続して利用する形態であってもよい。
【００２６】
入力装置５０１は、キーボード、マウス、及び、タッチパネル等を含み、ユーザが各操作信号を入力するのに用いられる。
【００２７】
表示装置５０２は、ディスプレイ等を含み、コンピュータ５００による処理結果を表示する。
【００２８】
通信Ｉ／Ｆ５０７は、コンピュータ５００を各種ネットワークに接続するインタフェースである。これにより、コンピュータ５００は、通信Ｉ／Ｆ５０７を介してデータ通信を行うことができる。
【００２９】
また、ＨＤＤ５０８は、プログラム又はデータを格納している不揮発性の記憶装置の一例である。格納されるプログラムやデータには、コンピュータ５００全体を制御する基本ソフトウェアであるＯＳ、及び、ＯＳ上において各種機能を提供するアプリケーションソフトウェア（以下単に「アプリケーション」と呼ぶ。）等がある。なお、コンピュータ５００は、記憶媒体としてフラッシュメモリを用いるドライブ装置（例えば、ソリッドステートドライブ：ＳＳＤ）を利用するものであってもよい。
【００３０】
外部Ｉ／Ｆ５０３は、外部装置とのインタフェースである。外部装置は、例えば、記録媒体５０３ａ等である。これにより、コンピュータ５００は、外部Ｉ／Ｆ５０３を介して記録媒体５０３ａの読み取り、及び／又は、書き込みを行うことができる。
【００３１】
記録媒体５０３ａは、フレキシブルディスク、ＣＤ、ＤＶＤ、ＳＤメモリカード（登録商標）、又は、ＵＳＢメモリ等である。
【００３２】
ＲＯＭ５０５は、電源を切ってもプログラム又はデータを保持することができる不揮発性の半導体メモリ（記憶装置）の一例である。ＲＯＭ５０５には、コンピュータ５００の起動時に実行されるＢＩＯＳ、ＯＳ設定、及びネットワーク設定等のプログラム又はデータが格納される。
【００３３】
ＲＡＭ５０４は、プログラム又はデータを一時的に保持する揮発性の半導体メモリ（記憶装置）の一例である。
【００３４】
ＣＰＵ５０６は、ＲＯＭ５０５及びＨＤＤ５０８等の記憶装置から、プログラム又はデータをＲＡＭ５０４上に読み出し、処理を実行することで、コンピュータ５００全体の制御及び機能を実現する演算装置である。
【００３５】
顧客システム１０及び作業工程管理システム１４は、例えば、図３に示すハードウェア構成により、後述する各種処理を実現できる。なお、プリンタ１６及びカメラ１８のハードウェア構成についての説明は省略する。
【００３６】
＜ソフトウェア構成＞
図４は、作業工程管理システムの一例の機能構成図である。なお、図示する機能構成は、本実施形態の説明に不要な構成について適宜省略した機能構成である。例えば、作業工程管理システム１４は、第１受付部４０１、ジョブＩＤ検出部４０２、カラーコード画像生成部４０３、記憶部４０４、画像データ生成部４０５、撮影画像取得部４０６、カラーコード抽出部４０７、及び、特定部４０８を備える機能構成である。
【００３７】
第１受付部４０１は、複数の作業工程の項目を示す作業工程データと、ジョブＩＤの情報を含む作業指示書８００（第１伝票の一例）の画像データ（第１画像データの一例）を受け付ける。
【００３８】
また、第１受付部４０１は、ユーザから、成果物（第１成果物）が、ある作業工程（第１作業工程の一例）により、複数の成果物（第２成果物）に分かれる際に、第２成果物の数と、第２成果物それぞれに対応する作業指示書（第２伝票）を作成する旨の入力を受け付ける。
【００３９】
また、第１受付部４０１は、作業工程により複数の成果物に分かれることとなる成果物が、第２成果物であった場合、第２成果物に対応する後述の第２ジョブＩＤを受け付ける。
【００４０】
また、第１受付部４０１は、ユーザから必要な各種設定を受け付ける画面、後述のジョブステータス一覧画面、及び、ジョブ詳細履歴画面等の各種画面の表示を制御し、ユーザからの入力を受け付けてもよいし、コンピュータ５００と通信可能な、情報処理端末が出力した情報を受け付けてもよい。
【００４１】
ジョブＩＤ検出部４０２は、例えば、図２（Ａ）の顧客システム１０用の作業指示書８００を示す第１画像データからバーコード画像８０１やテキストで表示されているジョブＩＤを検出する。
【００４２】
また、ジョブＩＤ検出部４０２は、ジョブＩＤ生成部の一例であり、第１受付部４０１が、第２成果物の数と、第２成果物それぞれに対応する第２伝票を作成する旨の入力を受け付けていた場合、検出したジョブＩＤに枝番を付与したジョブＩＤ（第２ジョブＩＤ）を生成する。
【００４３】
また、ジョブＩＤ検出部４０２は、作業工程により複数の成果物に分かれることとなる成果物が、第２成果物であった場合、第２成果物に対応する第１ジョブＩＤを後述の記憶部４０４から取得し、使用されていない枝番を第１ジョブＩＤに付与することで新たな第２ジョブＩＤを生成する。
【００４４】
カラーコード画像生成部４０３は、ジョブＩＤ検出部４０２が検出した第１ジョブＩＤに基づいて、複数の色で第１ジョブＩＤに対応するカラーコードＩＤを示すカラーコードであるカラーコードデータ（第１カラーコードデータの一例であり、例えば「Ａ−００」である。）を生成する。
【００４５】
また、カラーコード画像生成部４０３は、ジョブＩＤ検出部４０２が生成したジョブＩＤ（第２ジョブＩＤ）に基づいて、複数の色で第２ジョブＩＤに対応するカラーコードＩＤを示すカラーコードであるカラーコードデータ（第２カラーコードデータの一例であり、例えば「Ａ−０１」や「Ａ−０２」である。）を生成する。
【００４６】
記憶部４０４は、第１受付部４０１が受け付けた作業工程データと、ジョブＩＤ検出部４０２が検出した第１ジョブＩＤと、ジョブＩＤ検出部４０２が生成した第２ジョブＩＤと、第１カラーコードデータと、第２カラーコードデータと、をそれぞれ対応付けて記憶する。
【００４７】
図５は、記憶部が各種の情報を対応付けて記憶しているテーブルの一例を示す図である。テーブルＴ１では、第１受付部４０１が受け取った作業工程データが示す「印刷」「断裁」「折り」「製本」「検査」の５つ工程と、それぞれの工程の状態と、各種情報と対応付けて記憶している。
【００４８】
画像データ生成部４０５は、第１画像データと、第１カラーコードデータに基づいて、第１伝票に第１カラーコードに対応するカラーコードを追加した第２伝票を示す画像データ（第２画像データの一例）を生成する。
【００４９】
図６は、記憶部が、撮影装置の一例であるカメラの識別情報と、作業工程の状態とを対応付けて記憶しているテーブルの一例を示す図である。例えば、テーブルＴ２は、図示するように、カメラの識別情報と、作業工程の状態とを対応付けて記憶するテーブルである。また、画像データ生成部４０５は、第１画像データと、第２カラーコードデータに基づいて、第１伝票に第２カラーコードに対応するカラーコードを追加した第３伝票を示す画像データ（第３画像データの一例）を生成する。
【００５０】
図２（Ａ）は、第１伝票の一例である。また、図２（Ｂ）は、第２伝票の一例である。
【００５１】
撮影画像取得部４０６は、カメラ１８から撮影画像や撮影動画を取得する。
【００５２】
カラーコード抽出部４０７は、撮影画像又は撮影動画に写る第２伝票が有するカラーコード画像８１１からカラーコードＩＤを抽出する。
【００５３】
また、カラーコード抽出部４０７は、撮影画像又は撮影動画に写る第３伝票が有するカラーコード画像８１１から、第１カラーコードデータを抽出する。又は、カラーコード抽出部４０７は、撮影画像又は撮影動画に写る第３伝票が有するカラーコード画像８１１から、第２カラーコードデータを抽出する。
【００５４】
カラーコード抽出部４０７は、例えば、カラーコード画像８１１を撮影したカメラ１８又はジョブの作業工程を識別する識別情報と、抽出した第１カラーコードデータ又は第２カラーコードデータと、を特定部４０８に出力する。
【００５５】
特定部４０８は、カラーコード抽出部４０７が抽出した第１カラーコードデータに基づいて、記憶部４０４から、第１ジョブＩＤを特定する。また、特定部４０８は、カラーコード画像８１１を撮影したカメラ１８に対応する作業工程の状態に基づいて、第１ジョブＩＤの作業工程の状態を特定する。
【００５６】
又は、特定部４０８は、カラーコード抽出部４０７が抽出した第２カラーコードデータに基づいて、記憶部４０４から、第２ジョブＩＤを特定する。また、特定部４０８は、カラーコード画像８１１を撮影したカメラ１８に対応する作業工程の状態に基づいて、第２ジョブＩＤの作業工程の状態を特定する。
【００５７】
これにより、特定部４０８は、カラーコード画像８１１を撮影したカメラ１８に対応する作業工程の状態と、カラーコード抽出部４０７が抽出した第１カラーコードデータ、第２カラーコードデータに対応する第１ジョブＩＤ、又は、第２ジョブＩＤに基づいて、ジョブの作業工程の進捗情報（ジョブステータス、作業工程の状態を示す。）を特定することができる。
【００５８】
＜処理＞
図７は、印刷工場における作業工程の一例を示したイメージ図である。図７の作業工程は、「印刷」、「断裁」、「折り」、「製本」、「検査」、「一時保管１」、及び、「一時保管２」を含む作業工程の例である。この例では、カメラ１８ａは、作業工程「印刷」と、「断裁」と、「折り」と、「製本」と、「検査」とを行うそれぞれの場所の手前にあるゲートに設置する。また、カメラ１８ｂは、作業工程「一時保管１」と、「一時保管２」とを行うそれぞれの場所に設置する。以下、カメラ１８ａ１〜１８ａ５と、カメラ１８ｂ１及びカメラ１８ｂ２を総称して「カメラ１８」という。また、カメラ１８ａ１乃至１８ａ５を総称して「カメラ１８ａ」という。さらに、カメラ１８ｂ１及びカメラ１８ｂ２を総称して「カメラ１８ｂ」という。
【００５９】
情報処理システム１２用の作業指示書８１０は、作業工程の間を移動する過程又は一時保管場所に保管されている状態等で、カメラ１８ａ又はカメラ１８ｂによって撮影される。また、図では、全ての作業工程を行うジョブの移動を示す矢印と、作業工程の一部をスキップするジョブの移動を示す矢印とを示す。
【００６０】
例えば、図７に示す例では、作業工程「印刷」により印刷物が出力された後、その印刷物の上に、作業指示書８１０が貼付される。これにより、図７に示す例では、印刷物がゲートを通過する過程、又は、保管場所に保管されている状態で、印刷物の上に貼付された作業指示書８１０がカメラ１８ａ又はカメラ１８ｂにより撮影される。
【００６１】
図７に示す例では、カメラ１８ａ１は、作業工程が「印刷中」、カメラ１８ａ２は、作業工程が「断裁中」、カメラ１８ａ３は、作業工程が「折り中」、カメラ１８ａ４は、作業工程が「製本中」、カメラ１８ａ５は、作業工程が「検査中」に対応する。
【００６２】
また、図７に示す例では、カメラ１８ｂ１は、作業工程が「印刷工程完了」、カメラ１８ｂ２は、作業工程が「折り工程完了」に対応する。
【００６３】
《カラーコード付き作業指示書の作成》
図８は、第１ジョブＩＤから第２伝票を作成する処理の一例のフローチャートである。
【００６４】
ステップＳ１１では、ジョブＩＤ検出部４０２は、顧客システム１０用の作業指示書８００に、バーコード画像８０１又はテキストで表示される第１ジョブＩＤを検出する。なお、作業指示書８００から第１ジョブＩＤを検出する検出枠は、オペレータにより、あらかじめ設定しておいてもよいし、ＯＣＲ等を利用して自動で設定してもよい。
【００６５】
ステップＳ１２では、カラーコード画像生成部４０３は、ステップＳ１１でジョブＩＤ検出部４０２が検出した第１ジョブＩＤに基づいて、複数の色で第１ジョブＩＤに対応する情報を示すカラーコードに対応する第１カラーコードデータを生成する。
【００６６】
ステップＳ１３では、カラーコード画像生成部４０３は、ジョブＩＤと対応付けられたカラーコードＩＤから図９に示す手順でカラーコード画像８１１を生成する。なお、図９に示す手順は、例えば、特開２０１７−１９９３０６号公報に記載されている技術を利用するものである。
【００６７】
図９は、カラーコード画像を生成する処理の一例のフローチャートである。
【００６８】
ステップＳ２１では、カラーコード画像生成部４０３は、カラーコード化対象のカラーコードＩＤの入力を受け付ける。
【００６９】
ステップＳ２２では、カラーコード画像生成部４０３は、カラーコードＩＤの文字列を、各桁の値に分解する。
【００７０】
ステップＳ２３では、カラーコード画像生成部４０３は、分解された各桁の値を、特開２０１７−１９９３０６号公報に記載されている光学シンボルの各セルに割り当てる色数に応じた値に変換する。例えば、カラーコード画像生成部４０３は、各セルに割り当てる色数が４色であれば、各桁の値を図１０に示すようなコード化ルールに従って３進数による値に変換する。
【００７１】
図１０は、３進数を表現可能なコード化ルールについて説明するための図である。図示する例は、Ｒ色（赤色）と、Ｇ色（緑色）と、Ｂ色（青色）とＫ色（黒色）との４色を用いた場合のコード化ルールの例を示す。４色を用いる場合は、３値、すなわち、３進数での表現が可能である。
【００７２】
例えば、図１０（ａ）に例示するように、時計回り、すなわち、Ｒ色からＫ色、Ｋ色からＢ色、Ｂ色からＧ色、Ｇ色からＲ色への各遷移は値「０」を表現する。また、反時計回り、すなわち、Ｒ色からＧ色、Ｇ色からＢ色、Ｂ色からＫ色、Ｋ色からＲ色への各遷移は値「１」を表現する。さらに、対角線上、すなわち、Ｒ色とＢ色との間の双方向の遷移、及び、Ｋ色とＧ色との間の双方向の遷移は、それぞれ値「２」を表現する。
【００７３】
例えば、図１０（ｂ）に示すように、Ｇ色、Ｒ色、Ｂ色、Ｋ色、Ｇ色の順に各セルが順次接続されたセル列において、図中で左から右に向けて各セルの色遷移を見た場合について考える。この場合は、Ｇ色からＲ色への遷移が値「０」を示す。Ｒ色からＢ色への遷移が値「２」を示す。Ｂ色からＫ色への遷移が値「１」を示す。Ｋ色からＧ色への遷移が値「２」を示す。したがって、図１０（ｂ）に示す配列は、値「３ｄ２１２０」、すなわち、１０進数の値「６９」を示す。なお、値の表記において先頭の「３ｄ」は、続く数字が３進数による値であることを示す。
【００７４】
４色の色遷移を用いたコード化ルールは、図１０（ａ）に示した例に限定されず、例えば、図１０（ｄ）に示す例であってもよい。図１０（ｅ）は、図１０（ｄ）に示すコード化ルールに従った色遷移と値とを関連付ける変換テーブルの例を示す。図１０（ｅ）において、例えば遷移元のセルの色がＲ色で値「２」を表現したい場合には、遷移元のセルに隣接する遷移先のセルの色をＢ色とする。同様に、遷移元のセルの色がＫ色で値「１」を表現したい場合は遷移先のセルの色をＧ色とする。
【００７５】
図９に示すステップＳ２３に続いて、ステップＳ２４に進み、カラーコード画像生成部４０３は、遷移元のセルの色と、ステップＳ２３で変換された３進数の値と、図１０（ａ）に示すコード化ルールの変換テーブルとに従い、光学シンボルの各セルに色を割り当てる。なお、カラーコード画像生成部４０３は、光学シンボルの主コードのセル列における各セルの色の配列をあらかじめ記憶しているものとする。
【００７６】
図１１及び図１２を用いて、光学シンボルの各セルに割り当てる色数を４色とした場合のより具体的な例について説明する。
【００７７】
図１１は、光学シンボルにコード化するための情報の例を示す図である。
【００７８】
図１２は、光学シンボルの各セルに割り当てる色数を４色とした場合の光学シンボルの例を示す図である。
【００７９】
図１１は、主コード部３００の各セル「ｄ１」、「ｄ２」、「ｄ３」及び「ｄ４」に接続される副コード部３０１の各セル列が値「３ｄ１」、「３ｄ１」、「３ｄ０」及び「３ｄ１」の例である。
【００８０】
図１２は、図１１に例示する情報を、図１０を用いて説明したコード化ルールに従いコード化した光学シンボルの例を示す。この例では主コード部３００のセル列は、偶数個のセルを含み、先端のセルをＫ色として、Ｋ色及びＲ色が交互に配置されて構成されている。
【００８１】
また、副コード部３０１は、例えば、左端のセルにおいて、当該セルが接続される主コード部３００のセルのＫ色を最初の遷移元の色として、セルの色が割り当てられる。図１２に示す例では、遷移元のセルである主コード部３００のセルのＫ色、副コード部３０１のセルの値「３ｄ１」に従い、図１０（ａ）におけるコード化ルールの変換テーブルを参照して、光学シンボルの一番左側の副コード部３０１のセルにＲ色が割り当てられている。
【００８２】
図８のステップＳ１３に続いて、ステップＳ１４に進み、カラーコード付き作業指示書作成部は、ステップＳ１３で生成したカラーコード画像８１１を利用して情報処理システム１２用の作業指示書８１０を作成する。
【００８３】
図１３は、カラーコード付き作業指示書を作成する処理イメージを示す図である。なお、用紙サイズ又はレイアウト枠等の設定は、オペレータにより、あらかじめ設定されてもよい。図２（Ａ）の顧客システム１０用の作業指示書８００は、変倍縮小されることで空きスペースが生成される。図２（Ｂ）の情報処理システム１２用の作業指示書８１０は、顧客システム１０用の作業指示書８００を変倍縮小することで生成された空きスペースにカラーコード画像８１１を貼付したものである。
【００８４】
なお、図２（Ａ）の顧客システム１０用の作業指示書８００には、顧客システム１０側で利用している少なくとも一つのバーコード画像８０１が表示されている。したがって、単純に顧客システム１０用の作業指示書８００を縮小すると、バーコード画像８０１が機能しなくなる（認識できなくなる）可能性がある。
【００８５】
そこで、カラーコード付き作業指示書作成部は、バーコード画像８０１の機能を損なうことなく空きスペースを生成するため、バーコード画像８０１の方向を確認し、バーコード画像８０１の機能を損なわない方向へ変倍縮小を行う等を行ってもよい。
【００８６】
このように、本実施形態の作業工程管理システム１４は、バーコード画像８０１の機能を損なわない方向への変倍縮小により空きスペースを作成し、その空きスペースに、遠隔で読み取ることのできるカラーコード画像８１１を追加できる。このようにして、顧客システム１０用の作業指示書８００を変倍縮小しても、バーコード画像８０１の機能は損なわれず、顧客システム１０用の作業指示書８００の機能を残して、カラーコード画像８１１による機能を情報処理システム１２用の作業指示書８１０に追加できる。
【００８７】
図８のステップＳ１５では、画像データ生成部４０５は、ステップＳ１４で作成されたカラーコード画像８１１が付与された情報処理システム１２用の作業指示書８１０（カラーコード付き作業指示書）の印刷をプリンタ１６に指示する。プリンタ１６は、印刷指示部からの指示により、例えば、図２（Ｂ）に示すようなカラーコード画像８１１が付与された情報処理システム１２用の作業指示書８１０を印刷する。
【００８８】
《ゲート通過時のジョブステータスの更新》
本実施形態に係るジョブ管理システム１では、カラーコード画像８１１が付与された情報処理システム１２用の作業指示書８１０が、カメラ１８ａ１〜１８ａ５、１８ｂ１、及び、１８ｂ２によって撮影されることで、記憶部４０４のジョブステータスが以下のように更新される。
【００８９】
図１４は、ゲート通過時のジョブステータス更新処理の一例のフローチャートである。
【００９０】
ステップＳ５１では、作業工程管理システム１４の撮影画像取得部４０６は、カメラ１８ａ１〜１８ａ５、１８ｂ１、及び、１８ｂ２から撮影画像又は撮影動画を取得すると、ステップＳ５２に進む。
【００９１】
ステップＳ５２では、カラーコード抽出部４０７は、撮影画像取得部４０６で取得した撮影画像又は撮影動画からのカラーコード画像８１１を切り出す。
【００９２】
ステップＳ５３では、カラーコード抽出部４０７は、例えば、特開２０１７−１９９３０６号公報に記載されている手順でカラーコード画像８１１の認識処理を行う。
【００９３】
カラーコード抽出部４０７は、カラーコード画像８１１を認識すると、カラーコード画像８１１から各セルの画像を検出する。
【００９４】
ステップＳ５４では、カラーコード抽出部４０７は、ステップＳ５３で検出した各セルの色情報、及び、各セルの接続情報をシンボル情報として認識する。カラーコード認識部は、例えば、図１０（Ａ）に示したコード化ルールに従ってシンボル情報をデコードすることで、カラーコード画像８１１にコード化されていたカラーコードＩＤを復元する。
【００９５】
ステップＳ５５では、カラーコード抽出部４０７は、例えば、カラーコード画像８１１を撮影したカメラ１８ａ１〜１８ａ５、１８ｂ１、及び、１８ｂ２の識別情報及びデコードにより復元したカラーコードＩＤを特定部４０８に提供する。そして、特定部４０８は、記憶部４０４を参照してカラーコードＩＤに対応するジョブＩＤを特定する。
【００９６】
そして、特定部４０８は、例えば、カラーコード画像８１１を撮影したカメラ１８ａの識別情報と、カラーコード画像８１１から復元したカラーコードＩＤに対応するジョブＩＤとに基づき、記憶部４０４が記憶するジョブステータスを「未検出」から「通過済み」「工程終了」等に更新できる。
【００９７】
《一時保管場所への保管時のジョブステータスの更新》
本実施形態に係るジョブ管理システム１では、カラーコード画像８１１が付与された情報処理システム１２用の作業指示書８１０が、カメラ１８ｂ１、及び、１８ｂ２により撮影されることで、記憶部４０４のジョブステータスが以下のように更新される。
【００９８】
図１５は、一時保管場所への保管時のジョブステータス更新処理の一例のフローチャートである。
【００９９】
ステップＳ６１では、作業工程管理システム１４の撮影画像取得部４０６は、カメラ１８ｂ１、又は、１８ｂ２から撮影画像を取得すると、ステップＳ６２に進む。
【０１００】
ステップＳ６２では、カラーコード抽出部４０７は、撮影画像取得部４０６で取得する撮影画像又は撮影動画から、カラーコード画像８１１を切り出す。
【０１０１】
ステップＳ６３では、カラーコード抽出部４０７は、例えば、特開２０１７−１９９３０６号公報に記載されている手順でカラーコード画像８１１の認識処理を行う。
【０１０２】
ステップＳ６４では、カラーコード抽出部４０７は、カラーコード画像８１１を認識すると、ステップＳ６５に進む。
【０１０３】
ステップＳ６５では、カラーコード抽出部４０７は、カラーコード画像８１１から認識されたシンボル情報をデコードすることで、カラーコード画像８１１にコード化されていたカラーコードＩＤを復元する。
【０１０４】
ステップＳ６６では、カラーコード抽出部４０７は、例えば、カラーコード画像８１１を撮影したカメラ１８ｂ１、及び、１８ｂ２の識別情報、並びに、デコードにより復元したカラーコードＩＤを特定部４０８に提供する。そして、特定部４０８は、記憶部４０４を参照してカラーコードＩＤに対応するジョブＩＤを特定する。
【０１０５】
そして、特定部４０８は、例えば、カラーコード画像８１１を撮影したカメラ１８ｂ１、及び、１８ｂ２の識別情報と、カラーコード画像８１１から復元したカラーコードＩＤに対応するジョブＩＤとに基づき、そのジョブＩＤのジョブステータスが変化なしで所定時間経過したか否かを判定する。
【０１０６】
ジョブステータスが変化なしで所定時間経過していると、特定部４０８は、ステップＳ６７に進む。
【０１０７】
ステップＳ６７では、特定部４０８は、後述するジョブ詳細履歴画面に、滞留アラートを表示する処理を行い、その後、ステップＳ７０の処理に進む。一方で、ジョブステータスが変化なしで所定時間経過していないと、特定部４０８は、ステップＳ７０に進む。
【０１０８】
ステップＳ７０では、特定部４０８は、記憶部４０４が記憶するジョブステータスを「未検出」から「作業工程中」「作業工程終了」等に更新できる。
【０１０９】
また、ステップＳ６４において、カラーコード抽出部４０７によってカラーコード画像８１１が認識されないと、カラーコード抽出部４０７は、ステップＳ６４からＳ６８に進む。これは、保管場所に設置されたカメラ１８ｂ１、又は、１８ｂ２から取得する撮影画像からカラーコード画像８１１を認識できない場合であって、ジョブステータスが、保管場所に保管されていることになっているジョブＩＤを更新する処理である。
【０１１０】
カラーコード抽出部４０７は、例えばカメラ１８ｂ１、及び、１８ｂ２の識別情報を特定部４０８に提供する。そして、特定部４０８は、提供されたカメラ１８ｂ１、及び、１８ｂ２の識別情報に対応する保管場所のジョブステータスが「作業工程終了」のジョブＩＤのうち、所定回数連続で撮影画像からカラーコード画像８１１が認識されなかったジョブＩＤがあるか否かを判定する。
【０１１１】
ステップＳ６８では、特定部４０８は、所定回数連続でカラーコードがないか否かを判断する。そして、保管場所のジョブステータスが「作業工程終了」であるジョブＩＤのうち、所定回数連続で撮影画像からカラーコード画像８１１が認識されなかったジョブＩＤがあると、特定部４０８は、ステップＳ６９に進む。
【０１１２】
ステップＳ６９では、特定部４０８は、ジョブＩＤと対応付けられているカラーコードＩＤをＮｕｌｌにし、ステップＳ７０に進む。
【０１１３】
また、保管場所において印刷物が重ねられている等のように、情報処理システム１２用の作業指示書８１０が、カメラ１８ｂから撮影できない状態で保管されている可能性もある。この点を考慮し、特定部４０８は、保管場所のジョブステータスが「作業工程終了」のジョブＩＤのうち、所定回数連続で撮影画像からカラーコード画像８１１が認識されなかったジョブＩＤが無ければ、ステップＳ６８からステップＳ６９をスキップしてステップＳ７０に進む。
【０１１４】
図１４及び図１５のフローチャートで示す処理によれば、情報処理システム１２用の作業指示書８１０を貼付した印刷物のジョブステータスを自動更新することで、情報処理システム１２用の作業指示書８１０を貼付した印刷物のトラッキングが可能となる。
【０１１５】
《ジョブの照会》
ジョブ管理システム１のオペレータは、作業工程管理システム１４が提供する各種のＵＩ画面により、印刷工場におけるジョブの作業工程の進捗情報、履歴情報、作業指示書８１０を撮影したときの様子を示す撮影画像ファイル及び撮影動画ファイル等を照会できる。なお、ＵＩ画面は、表示装置５０２によって表示する画面である。
【０１１６】
図１６は、作業工程管理システムが表示するＵＩ画面の一例の遷移図である。作業工程管理システム１４では、例えば、ジョブステータス一覧画面１０００を表示装置５０２に表示させる。ジョブステータス一覧画面１０００は、ジョブＩＤ、カラーコードＩＤ、ジョブ名、最終更新データ、及び、１つ以上の作業工程の進捗情報を含むジョブ情報を一覧表示する。
【０１１７】
１つ以上の作業工程の進捗情報は、作業工程の進捗が「未検出」、「作業工程中」、「作業工程終了」又は「アラート」の何れであるかを示す。
【０１１８】
作業工程の進捗「未検出」は、その作業工程に対応するカメラ１８で情報処理システム１２用の作業指示書８１０を撮影していないことを示す。
【０１１９】
作業工程の進捗「作業工程中」は、その作業工程に対応するカメラ１８ａ１〜１８ａ５の何れかで情報処理システム１２用の作業指示書８１０を撮影したことを示す。
【０１２０】
作業工程の進捗「作業工程終了」は、その作業工程に対応するカメラ１８ｂ１、又は、１８ｂ２の何れかで情報処理システム１２用の作業指示書８１０を最終更新で撮影したことを示す。作業工程の進捗「アラート」は、例えば、滞留アラート等のアラートが生じていることを示す。
【０１２１】
オペレータは、ジョブステータス一覧画面１０００から一つのジョブを選択することにより、ジョブ詳細履歴画面１０１０を表示させることができる。ジョブ詳細履歴画面１０１０は、作業工程ごとに、開始日時、完了日時、撮影画像、及び、撮影動画を表示する画面に遷移するためのボタンを表示する。なお、作業工程が「一時保管１」又は「一時保管２」の場合には、保管場所となる保管エリアを示すアドレス等も、ジョブ詳細履歴画面１０１０に更に表示される。
【０１２２】
また、ジョブ詳細履歴画面１０１０において、撮影画像、若しくは、撮影動画を表示する画面１０２０、又は、保管場所を示す画面１０３０の何れかの画面に遷移するためのボタンに対する操作が受け付けられる。そして、ボタンが押下されると、第１受付部４０１は、画面１０２０又は画面１０３０に遷移する。撮影画像又は撮影動画を表示する画面１０２０は、再生ボタンが押下されることにより、作業指示書８１０を撮影したときの様子を示す撮影画像ファイル又は撮影動画ファイルを表示する。
【０１２３】
《第２成果物が発生する場合の例》
図１７は、第２成果物が発生する例を示す図である。
【０１２４】
図１８は、第２伝票の作成例を示す図である。
【０１２５】
例えば、印刷物等の製品を製造する作業工程が、図示するように、入稿工程、印刷工程、断裁工程、折工程及び製本工程といった５つの作業工程である場合を例に説明する。なお、作業工程の数、作業工程の種類、作業工程の順序及び製品の種類等は、図示する以外のものでもよい。
【０１２６】
まず、この例では、印刷ジョブの中に、入稿工程、印刷工程、断裁工程、折工程及び製本工程が設定されている。そして、ジョブには、作業が開始される前、製造計画又は受注等に、ジョブＩＤが設定される。つまり、第２成果物に分かれる前の成果物である第１成果物に設定される第１ジョブＩＤである。
【０１２７】
次に、第１成果物から第２成果物が派生する場合を例に説明する。なお、第１成果物又は第２成果物の管理は、枝番以外の番号等で管理されてもよい。例えば、第２成果物の管理では、管理番号等を第２成果物に対応させて管理する。
【０１２８】
第２成果物の管理番号には、例えば、添え字又はジョブＩＤとは異なる文字やアルファベットの組み合わせ、記号等、第１成果物や第２成果物をそれぞれ区別する情報（区別情報の一例）を用いればよい。
【０１２９】
まず、第２成果物が発生する場合の具体例を以下に示す。
【０１３０】
第１発生例は、第１伝票から、新たな伝票である第２伝票を作成する例である。
【０１３１】
まず、１つの作業工程を複数の装置で行う場合を説明する。図１７及び図１８で図示する例は、入稿工程で、複数の印刷機（図示する例は、２台の印刷機を用いる場合の例である。）で印刷工程を行う例である。
【０１３２】
図１７では、入稿工程において、入稿されてきた印刷ジョブに対して、第１ジョブＩＤ「Ａ」を付与している。なお、図示する例では、ジョブＩＤ「Ａ」に枝番「−００」も同時に付与して第１ジョブＩＤとしているが、ジョブＩＤは、これに限られない。また、本実施形態では、「Ａ−ＸＸ」を枝番付きのジョブＩＤとする。
【０１３３】
なお、第２成果物の発生は、複数の装置を用いる場合に限られない。例えば、１つの作業を複数の作業員又は複数の場所で作業を行うような場合でもよい。
【０１３４】
入稿工程では、図示するように、ジョブＩＤは、「Ａ−００」の１つであるため、伝票も１つであるとする。
【０１３５】
印刷工程において、第１伝票に基づいて、１つの伝票が新たに作成される。この例では、枝番付きのジョブＩＤ「Ａ−００」で管理される第１伝票と、枝番付きのジョブＩＤ「Ａ―０１」で管理される第２伝票［Ａ］とが作成される例である。
【０１３６】
第２伝票［Ａ］は、枝番付きのジョブＩＤ「Ａ―０１」に基づいて作成される。具体的には、第２伝票［Ａ］には、まず、第１伝票と同様に、記載事項が掲載される。
【０１３７】
次に、第２伝票［Ａ］には、枝番付きジョブＩＤ「Ａ―０１」に対応するカラーコード（以下「第２カラーコード『Ａ』」という。）が付与される。すなわち、第２伝票［Ａ］における第２カラーコード『Ａ』がステップＳ６３等で認識されると、枝番付きジョブＩＤが「Ａ―０１」である第２伝票［Ａ］で管理されるジョブＩＤ「Ａ」のステータス等が管理できる。
【０１３８】
また、第２伝票［Ａ］には、枝番「０１」を示す番号等（以下「第２管理番号＜Ａ＞」という。）の情報が更に記載されるのが望ましい。
【０１３９】
次に、１つの作業工程前は、１つの成果物であるのに対して、作業工程後に複数の成果物になる場合を説明する。例えば、図１７及び図１８で図示する例は、断裁工程で、１台の断裁機を用いる例である。なお、断裁機は、１台に限られず、複数台であってもよい。
【０１４０】
例えば、印刷物の場合には、表紙、本文又は裏表紙等は、異なる成果物であるが、同じジョブＩＤとして管理される。したがって、このように異なる成果物を別々に管理したいような場合には、第２伝票を新たに生成することが望ましい。
【０１４１】
具体的には、枝番付きジョブＩＤ「Ａ−００」に対して、断裁工程で発生する成果物が、枝番付きジョブＩＤである「Ａ−００」と、枝番付きジョブＩＤである「−０２」で管理される。すなわち、断裁工程以降の作業工程では、枝番付きジョブＩＤが「Ａ−００」の第１伝票と、枝番付きジョブＩＤが「Ａ−０２」の第２伝票［Ｂ］の成果物が、同じジョブＩＤ「Ａ」であるが、別々の枝番で管理される。
【０１４２】
第２伝票［Ｂ］に対応する成果物は、断裁工程前では「Ａ−００」であって、「Ａ−００」と１つの成果物であり、第１伝票に基づいて管理される。そして、第２伝票［Ｂ］は、第１伝票に基づいて作成される。具体的には、まず、第１伝票と同様に、記載事項が掲載される。
【０１４３】
次に、第２伝票［Ｂ］には、枝番付きジョブＩＤ「Ａ―０２」に対応するカラーコード（以下「第２カラーコード『Ｂ』」という。）が付与される。すなわち、第２伝票［Ｂ］における第２カラーコード『Ｂ』がステップＳ６３等で認識されると、枝番付きジョブＩＤが「Ａ―０２」である第２伝票［Ｂ］で管理されるジョブＩＤ「Ａ」のステータス等が管理できる。
【０１４４】
また、第２伝票［Ｂ］には、枝番「０２」を示す番号等（以下「第２管理番号＜Ｂ＞」という。）の情報が更に記載されるのが望ましい。
【０１４５】
図１８に示すように、断裁工程において、枝番付きジョブＩＤが「Ａ−００」である第１伝票で管理されていた成果物が、枝番付きジョブＩＤが「Ａ−００」である第１伝票と、枝番付きジョブＩＤが「Ａ−０２」である第２伝票［Ｂ］で管理されるジョブＩＤ「Ａ」のステータス等が管理できる。
【０１４６】
第２発生例は、第２伝票から、更に新たな伝票を作成する例である。以下、図１７及び図１８で図示する断裁工程の例において、１台の断裁機を用いる例で説明する。なお、断裁機は１台に限られず、複数台であってもよい。
【０１４７】
具体的には、枝番付きジョブＩＤ「Ａ−０１」に対して、断裁工程で発生する成果物が、枝番付きジョブＩＤである「Ａ−０１」と、枝番付きジョブＩＤである「Ａ−０３」で管理される。すなわち、断裁工程以降の作業工程では、枝番付きジョブＩＤが「Ａ−０１」の第２伝票［Ａ］と、枝番付きジョブＩＤが「Ａ−０３」の第２伝票［Ｃ］の成果物が、同じジョブＩＤ「Ａ」であるが、別々の枝番で管理される。
【０１４８】
第２伝票［Ｃ］に対応する成果物は、断裁工程前では１つの成果物であり、第２伝票［Ａ］に基づいて管理される。したがって、第２伝票［Ｃ］は、第２伝票［Ａ］に基づいて作成される。具体的には、まず、第１伝票と同様に、記載事項が掲載される。
【０１４９】
次に、第２伝票［Ｃ］には、枝番付きジョブＩＤ「Ａ―０３」に対応するカラーコード（以下「第２カラーコード『Ｃ』」という。）が付与される。すなわち、第２伝票［Ｃ］における第２カラーコード『Ｃ』がステップＳ６３等で認識されると、枝番付きジョブＩＤが「Ａ―０２」である第２伝票［Ｃ］で管理されるジョブＩＤ「Ａ」のステータス等が管理できる。
【０１５０】
また、第２伝票［Ｃ］には、枝番「０２」を示す番号等（以下「第２管理番号＜Ｃ＞」という。）の情報が更に記載されるのが望ましい。
【０１５１】
図１８に示すように、断裁工程において、枝番付きジョブＩＤが「Ａ−０１」である第２伝票［Ａ］で管理されていた成果物が、枝番付きジョブＩＤが「Ａ−０１」である第２伝票［Ａ］と、枝番付きジョブＩＤが「Ａ−０３」である第２伝票［Ｃ］で管理されるジョブＩＤ「Ａ」のステータス等が管理できる。
【０１５２】
このように、成果物から派生する新たな成果物には、新たなカラーコードが割り当てられるが、印刷指示書に含まれるバーコードの内容は、保持される。また、第２伝票に割り当てられた新たなジョブＩＤには、第１伝票のジョブＩＤに枝番が割り当てられる。したがって、情報システム上では、第１伝票に対応する成果物と、第２伝票に対応する成果物を含めて同一のジョブＩＤ（に属する）成果物として管理することができる。
【０１５３】
つまり、作業工程、作業工程により生成された成果物、材料、運搬機材、用いられる装置又はこれらの組み合わせごとに、第２伝票が生成されるのが望ましい。
【０１５４】
このように、枝番等を用いて管理すると、細かな管理が容易に可能となる。
【０１５５】
なお、第２伝票の生成は、図示するようなジョブＩＤを示すコードのスキャン等がきっかけでなくともよい。例えば、第２伝票の生成は、ユーザが設定画面等において、ボタン等を押したのが検出された場合等に生成されてもよい。
【０１５６】
また、第２伝票の作成方法は、図示する方法に限られない。例えば、第２伝票には、コピーされる記載事項以外に追加事項があってもよい。例えば、追加事項は、第２伝票を発生させた理由等である。
【０１５７】
さらに、第２管理番号＜Ａ＞、第２管理番号＜Ｂ＞、第２管理番号＜Ｃ＞、印刷される位置、大きさ、及び、範囲等は、あらかじめ設定されてもよい。
【０１５８】
次に、第２伝票が発生した場合の作業工程管理システムが表示するＵＩ画面の説明をする。
【０１５９】
図１９は、第２成果物が発生した場合の作業工程管理システムが表示するＵＩ画面の一例の遷移図である。例えば、図示する第２伝票が発生した場合のジョブステータス一覧画面（以下「展開前画面ＰＮ１」という。）は、図１６等に示すジョブステータス一覧画面１０００と同様に生成及び表示される画面である。
【０１６０】
展開前画面ＰＮ１は、図１６に示すジョブステータス一覧画面１０００と比較すると、まず、第２伝票に対応する枝番付きジョブＩＤがグルーピングされて表示される点が異なる。具体的には、ＧＵＩ上のボタンＩＦＡが押されると、例えば、展開後画面ＰＮ２等が表示される。
【０１６１】
展開後画面ＰＮ２は、図示するように、第２伝票に対応する枝番付きジョブＩＤ、すなわち、枝番等で管理されるジョブのステータスを示す一覧等を示す。
【０１６２】
このように、ボタンＩＦＡは、ジョブＩＤに関連付けられて管理されている枝番付きジョブＩＤの展開又は圧縮をした表示の切り替え操作を受け付ける。したがって、展開後画面ＰＮ２が表示されている状態で、更にボタンＩＦＡが押されると、展開後画面ＰＮ２は、閉じ、展開前画面ＰＮ１が表示される画面に戻る。
【０１６３】
展開後画面ＰＮ２では、例えば、図示するように、各第２伝票に対応する成果物のステータスが更新された直近の日時を示す「最終更新」と、第２伝票に対応する成果物の場所等を示す「所在」とが表示される。
【０１６４】
このように、第２伝票に対応する枝番付きジョブＩＤについても、ジョブステータス一覧画面等で管理できると、作業工程等をより容易に管理できる。
【０１６５】
また、以上のような構成であると、第２伝票に対応する成果物の状態をジョブＩＤにより、まとめて管理できる。このような管理であると、１つのジョブＩＤから派生するジョブを容易に管理できる。そして、第２伝票も、ジョブの発生等に合わせて容易に作成することができる。
【０１６６】
さらに、第２伝票と、第２伝票に対応する成果物までが容易に管理できると、作業工程等における、現品管理、進捗管理及び余力管理等が管理しやすくできる。
【０１６７】
［第３実施形態］
上記した第１実施形態又は第２実施形態では、枝番付きジョブＩＤを生成し、第２伝票を作成する。このようにして、作業工程の前後で成果物が複数に分かれた場合でも、複数に分かれた成果物をそれぞれ管理できるようにする。
【０１６８】
第３実施形態では、作業工程（第２の作業工程）を行う作業者が、第２の作業工程より前の作業工程である第１の作業工程が完了しているのかどうか、第１の作業工程により生成される成果物が全て揃っているのかどうかを確認できるようにすることを目的とする。
【０１６９】
例えば、図１７における製本工程では、製本工程の作業者は、全ての成果物が揃っていないと製本工程を行うことができない。具体的には、製本工程の作業者は、枝番付きジョブＩＤが「Ａ−００」である第１伝票に対応する成果物と、枝番付きジョブＩＤが「Ａ−０１」に対応する成果物と、枝番付きジョブＩＤが「Ａ−０２」に対応する成果物と、枝番付きジョブＩＤが「Ａ−０３」に対応する成果物と、枝番付きジョブＩＤが「Ａ−０４」に対応する成果物と、枝番付きジョブＩＤが「Ａ−０５」に対応する成果物と、枝番付きジョブＩＤが「Ａ−０６」に対応する成果物と、枝番付きジョブＩＤが「Ａ−０７」に対応する成果物と、が揃わないと、製本工程を行うことができない。
【０１７０】
そこで、第３実施形態は、第１の作業工程の前における成果物が第１の作業工程によって、いくつに分かれたのかを管理し、第１の作業工程による成果物が揃うと、第１の作業工程の次に行う第２の作業工程の作業者に通知を行うシステムである。
【０１７１】
図２０は、第３実施形態のシステムの一例を示す図である。顧客システム１０、作業工程管理システム１４、プリンタ１６、及び、カメラ１８については、第１実施形態及び第２２実施形態と共通のため、説明を省略する。
【０１７２】
情報処理端末２２は、作業者が所持する端末であり、タブレット又はスマートフォン等である。
【０１７３】
図２１は、情報処理端末のハード構成の一例を示す図である。例えば、情報処理端末２２は、図３に示すコンピュータ５００と同じハードウェア構成である。
【０１７４】
情報処理端末２２は、入力装置１９０１、表示装置１９０２、外部Ｉ／Ｆ１９０３、ＲＡＭ１９０４、ＲＯＭ１９０５、ＣＰＵ１９０６、通信Ｉ／Ｆ１９０７、及び、ＨＤＤ１９０８等を備え、それぞれがバスＢで相互に接続される。なお、入力装置１９０１及び表示装置１９０２は、接続して利用する形態であってもよい。
【０１７５】
入力装置１９０１は、キーボード、マウス、及び、タッチパネル等を含み、ユーザが各操作信号を入力するのに用いられる。
【０１７６】
表示装置１９０２は、ディスプレイ等を含み、情報処理端末２２による処理結果を表示する。
【０１７７】
通信Ｉ／Ｆ１９０７は、情報処理端末２２を各種ネットワークに接続するインタフェースである。これにより、情報処理端末２２は、通信Ｉ／Ｆ１９０７を介してデータ通信を行うことができる。
【０１７８】
また、ＨＤＤ１９０８は、プログラム又はデータを格納している不揮発性の記憶装置の一例である。格納されるプログラムやデータには、情報処理端末２２全体を制御する基本ソフトウェアであるＯＳ、及び、ＯＳ上において各種機能を提供するアプリケーションソフトウェア等がある。なお、情報処理端末２２は、記憶媒体としてフラッシュメモリを用いるドライブ装置（例えば、ＳＳＤ等である。）を利用するものであってもよい。
【０１７９】
外部Ｉ／Ｆ１９０３は、外部装置とのインタフェースである。外部装置は、例えば、記録媒体１９０３ａ等である。これにより、情報処理端末２２は、外部Ｉ／Ｆ１９０３を介して記録媒体１９０３ａの読み取り、及び／又は、書き込みを行うことができる。
【０１８０】
記録媒体１９０３ａは、フレキシブルディスク、ＣＤ、ＤＶＤ、ＳＤメモリカード（登録商標）、又は、ＵＳＢメモリ等である。
【０１８１】
ＲＯＭ１９０５は、電源を切ってもプログラム又はデータを保持することができる不揮発性の半導体メモリ（記憶装置）の一例である。ＲＯＭ１９０５には、情報処理端末２２の起動時に実行されるＢＩＯＳ、ＯＳ設定、及びネットワーク設定等のプログラム又はデータが格納される。
【０１８２】
ＲＡＭ１９０４は、プログラム又はデータを一時的に保持する揮発性の半導体メモリ（記憶装置）の一例である。
【０１８３】
ＣＰＵ１９０６は、ＲＯＭ１９０５及びＨＤＤ１９０８等の記憶装置から、プログラム又はデータをＲＡＭ１９０４上に読み出し、処理を実行することで、情報処理端末２２全体の制御及び機能を実現する演算装置である。なお、情報処理端末２２は、コンピュータ５００と異なるハードウェア構成でもよい。
【０１８４】
図２２は、第３実施形態の機能ブロック図の一例を示す図である。第３実施形態のシステムは、第１受付部４０１、ジョブＩＤ検出部４０２、カラーコード画像生成部４０３、記憶部４０４、画像データ生成部４０５、撮影画像取得部４０６、カラーコード抽出部４０７、特定部４０８、第２受付部２００１、出力部２００２、第１表示制御部２００３及び第２表示制御部２００４を備える機能構成である。以下、第１実施形態及び第２実施形態と共通する内容ついては、適宜省略して説明する。
【０１８５】
第１受付部４０１は、後述の出力部２００２から、第１伝票に対応する成果物が第１の作業工程により分かれた数を受け付ける。
【０１８６】
ジョブＩＤ検出部４０２は、第１受付部４０１から、第１伝票に対応する成果物が第１の作業工程により分かれた数を受け取ると、第１伝票に対応する第１ジョブＩＤを記憶部４０４から取得し、成果物が分かれた数に対応する下図の第２ジョブＩＤを生成する。
【０１８７】
カラーコード画像生成部４０３は、ジョブＩＤ検出部４０２が生成した第２ジョブに基づいて、複数の色で第２ジョブＩＤに対応するカラーコードＩＤを表すカラーコードであるカラーコードデータを生成する。
【０１８８】
記憶部４０４は、第１受付部４０１が受け付けた作業工程データと、第１受付部４０１が受け付けた成果物が分かれた数と、ジョブＩＤ検出部４０２が検出した第１ジョブＩＤと、ジョブＩＤ検出部４０２が生成した第２ジョブＩＤと、第１カラーコードデータと、第２カラーコードデータと、をそれぞれ対応付けて記憶する。
【０１８９】
図２３は、記憶部が各種の情報を対応付けて記憶しているテーブルの一例を示す図である。テーブルＴ３では、テーブルＴ１で記憶していた情報に加え、成果物が分かれた数を記憶している。例えば、第２ジョブＩＤが「Ａ−０１」の作業工程が「印刷」において、作業工程の状態／分かれた数」の「完了／２」は、印刷工程が完了しており、かつ、成果物が２つに分かれたことを示す。つまり、第１受付部４０１が、作業者による操作で、印刷工程が完了又は工程の途中等に、成果物が分かれた数が「２」であることを入力する例である。
【０１９０】
画像データ生成部４０５は、第１画像データと、第２カラーコードデータに基づいて、第３画像データを生成する。
【０１９１】
撮影画像取得部４０６は、カメラ１８から撮影画像又は撮影動画を取得する。
【０１９２】
カラーコード抽出部４０７は、撮影画像又は撮影動画に写る第３伝票のカラーコード画像８１１から第２カラーコードデータを抽出する。
【０１９３】
特定部４０８は、カラーコード抽出部４０７が抽出した第２カラーコードデータに基づいて、記憶部４０４から、第２ジョブＩＤを特定する。また、特定部４０８は、特定した第２ジョブＩＤに対応する成果物が分かれた数を記憶部４０４から取得する。そして、特定部４０８は、第２ジョブＩＤと、成果物が分かれた数と、カラーコード画像８１１を撮影したカメラ１８に対応する作業工程の状態に基づいて、第２ジョブＩＤの作業工程の状態を判断する。
【０１９４】
例えば、特定部４０８は、カラーコード抽出部４０７が、「一時保管場所１」に対応するカメラ１８ｂ１によって撮影する撮影画像データから抽出した第２カラーコードデータの数が、記憶部４０４に記憶されている成果物が分かれた数より少なかった場合、印刷工程が未完了であると判断する。
【０１９５】
また、特定部４０８は、カラーコード抽出部４０７が、「一時保管場所１」に対応するカメラ１８ｂ１によって撮影する撮影画像データから抽出した第２カラーコードデータの数が、記憶部４０４に記憶されている成果物が分かれた数と同じだった場合、印刷工程が完了していると判断する。
【０１９６】
また、特定部４０８は、記憶部４０４が、成果物が分かれた数と対応する作業工程の状態を判断する設定が記憶している場合、設定に基づいて、作業工程の状態（例えば、もうすぐ作業工程が完了する、又は、作業工程が完了するまでに時間がかかる等である。）を判断してもよい。
【０１９７】
例えば、作業工程の状態を判断する設定が、第２カラーコードデータの数が３であるときに、もうすぐ作業工程が完了する、と判断するように設定されている場合を説明する。
【０１９８】
この場合、特定部４０８は、カラーコード抽出部４０７が、「一時保管場所１」に対応するカメラ１８ｂ１によって撮影する撮影画像データから抽出した第２カラーコードデータの数が、３より少なかった場合、印刷工程が未完了であると判断する。
【０１９９】
また、特定部４０８は、カラーコード抽出部４０７が、「一時保管場所１」に対応するカメラ１８ｂ１によって撮影する撮影画像データから抽出した第２カラーコードデータの数が「３」であり、その数が、成果物が分かれた数（例えば、「５」とする。）より小さい場合、印刷工程がもうすぐ完了する状態であると判断する。
【０２００】
また、特定部４０８は、カラーコード抽出部４０７が、「一時保管場所１」に対応するカメラ１８ｂ１によって撮影する撮影画像データから抽出した第２カラーコードデータの数が「４」であり、その数が、成果物が分かれた数（例えば、「５」とする。）より小さい場合、印刷工程がもうすぐ完了する状態であると判断する。
【０２０１】
そして、特定部４０８は、カラーコード抽出部４０７が、「一時保管場所１」に対応するカメラ１８ｂ１によって撮影する撮影画像データから抽出した第２カラーコードデータの数が５であり、その数が、成果物が分かれた数（例えば、「５」とする。）と同じ数で合った場合、印刷工程が完了していると判断する。
【０２０２】
このように、特定部４０８が、カラーコード抽出部４０７が抽出した第２カラーコードデータの数に応じて、作業工程の状態を判断できるようにすることで、作業者に対してより詳細な情報を提供することができる。
【０２０３】
第２受付部２００１は、情報処理端末の入力装置を介して入力された、第１の作業工程によって成果物が分かれた数の入力を受け付ける。
【０２０４】
出力部２００２は、第２受付部２００１が受け付けた成果物が分かれた数を、第１受付部４０１に出力する。
【０２０５】
第１表示制御部２００３は、特定部４０８の判断結果を受け取り、表示装置に表示させる制御を行う。
【０２０６】
第２表示制御部２００４は、特定部４０８の判断結果を受け取り、表示装置に表示させる制御を行う。
【０２０７】
図２４は、表示装置１９０２で表示する画面の一例を示す図である。例えば、表示部の例である表示装置５０２によって図示するような画面が表示される。図示する画面において、「●」及び「〇」は、視覚情報の一例であり、第１伝票又は第２伝票に対応する成果物の位置を示す。また、図では、印刷工場内部を示す領域２１０１に、複数の第１ジョブＩＤと、第１ジョブＩＤから派生した第２ジョブＩＤを示す。例えば、「●」を第１ジョブＩＤが「Ａ」の「ジョブＡ」、「〇」を第１ジョブＩＤが「Ｂ」の「ジョブＢ」として説明する。
【０２０８】
第１表示制御部２００３及び第２表示制御部２００４は、特定部４０８が、保管場所を示す領域２１０２に、「ジョブＢ」の第２成果物（例えば、第２ジョブＩＤが、「Ｂ−０１」、「Ｂ−０２」・・・等で管理される成果物である。）が揃っており、「ジョブＡ」の作業工程が完了している（例えば、印刷工程が完了している場合である。）と判断すると、「Ｂ−０１」、「Ｂ−０２」に対応する「〇」の色を、白から緑色等に変化させることで作業者に作業工程の状態を通知してもよい。
【０２０９】
また、第１表示制御部２００３及び第２表示制御部２００４は、視覚情報の色を変化させる代わりに、以下に示すように、「ジョブＢは印刷工程が終了しています。」というメッセージを表示してもよい。
【０２１０】
図２５は、メッセージを表示する第１例を示す図である。例えば、図示するように、画面の横等にメッセージが表示される。なお、メッセージの表示形式は図示する形式に限られない。
【０２１１】
また、第１表示制御部２００３及び第２表示制御部２００４は、特定部４０８が、保管場所を示す領域２１０２に、「ジョブＢ」の第２成果物（例えば、第２ジョブＩＤが、「Ｂ−０１」、「Ｂ−０２」・・・等で管理される成果物である。）が揃っており、「ジョブＡ」の作業工程が未完了である（例えば、印刷工程が未完了の場合である。）と判断した場合、「Ｂ−０１」、「Ｂ−０２」に対応する「〇」の色を、白から黄色等の色に変化させることで作業者に作業工程の状態を通知してもよい。
【０２１２】
また、第１表示制御部２００３及び第２表示制御部２００４は、視覚情報の色を変化させる代わりに、以下に示すように、「ジョブＢは印刷工程が未完了です。」というメッセージを表示してもよい。
【０２１３】
図２６は、メッセージを表示する第２例を示す図である。例えば、第１例と同様に、画面の横等にメッセージが表示される。
【０２１４】
色又はメッセージは、上記の例に限られず、作業工程の状態が分かるように、事前に設定されていればよい。例えば、作業工程完了を示す色を青色にしてもよいし、作業工程が未完了であることを示す色を赤色にしてもよい。また、メッセージは、ジョブの状態を表すメッセージであればよい。例えば、以下に示すように、第２成果物が第１保管場所を示す領域２１０２にいくつあれば作業工程が完了するかを示す数字やメッセージを表示してもよい。
【０２１５】
図２７は、メッセージを表示する第３例を示す図である。例えば、図示するように、印刷工程の完了と判断するまでの残りとなる成果物の数が、画面の横等にメッセージで表示される。
【０２１６】
このように、第１表示制御部２００３及び第２表示制御部２００４により、作業者に通知を行うことで、作業者は、自身の作業に取り掛かる時期を知ることができ、効率的に作業工程を管理することができる。
【０２１７】
［第４実施形態］
上記した第１実施形態乃至第３実施形態は、顧客システム１０用の作業指示書８００に新しいコード（カラーコード画像８１１）を追加した情報処理システム１２用の作業指示書８１０によって実現する技術である。この技術は、例えば、ＡＧＶ（無人搬送車）に代表される搬送システムの技術への応用が可能である。
【０２１８】
例えば、物品を搬送する搬送システムでは、その物品にカラーコード画像８１１が追加された情報処理システム１２用の作業指示書８１０を貼付し、搬送中の物品をカメラ１８により撮影することで、搬送装置により搬送中の物品の作業工程を管理できる。また、物品を搬送中の搬送装置の位置、及び、物品の搬送先を特定できるので、搬送システムは、物品を搬送する搬送装置の移動も制御できる。
【０２１９】
［第５実施形態］
上記した第１実施形態及び第２実施形態等は、印刷工場におけるジョブの作業工程の管理について説明したが、例えば、ベルトコンベアに流れている物品の作業工程の管理にも適用が可能である。例えば、ベルトコンベアに流れている物品の作業工程の管理に本実施形態の技術を提供すれば、ベルトコンベアに流れている物品のトラッキングが可能となり、ベルトコンベアの分岐の制御も可能である。
【０２２０】
本発明は、具体的に開示された上記の実施形態に限定されるものではなく、特許請求の範囲から逸脱することなく、種々の変形や変更が可能である。
【符号の説明】
【０２２１】
１  ジョブ管理システム
１０  顧客システム
１２  情報処理システム
１４  作業工程管理システム
１６  プリンタ
１８  カメラ
１８ａ  カメラ
１８ａ１  カメラ
１８ａ２  カメラ
１８ａ３  カメラ
１８ａ４  カメラ
１８ａ５  カメラ
１８ｂ  カメラ
１８ｂ１  カメラ
１８ｂ２  カメラ
２２  情報処理端末
４０１  第１受付部
４０２  ジョブＩＤ検出部
４０３  カラーコード画像生成部
４０４  記憶部
４０５  画像データ生成部
４０６  撮影画像取得部
４０７  カラーコード抽出部
４０８  特定部
５００  コンピュータ
８００  作業指示書
８０１  バーコード画像
８１０  作業指示書
８１１  カラーコード画像
１０００  ジョブステータス一覧画面
１０１０  ジョブ詳細履歴画面
１０２０  画面
１０３０  画面
２００１  第２受付部
２００２  出力部
２００３  第１表示制御部
２００４  第２表示制御部
２１０１  領域
２１０２  領域
ＩＦＡ  ボタン
ＰＮ１  展開前画面
ＰＮ２  展開後画面
Ｔ１  テーブル
Ｔ２  テーブル
Ｔ３  テーブル
【先行技術文献】
【特許文献】
【０２２２】
【特許文献１】特開２００５−１００２９８号公報
【図１】
2020155118.tif 000003
【図２】
2020155118.tif 000004
【図３】
2020155118.tif 000005
【図４】
2020155118.tif 000006
【図５】
2020155118.tif 000007
【図６】
2020155118.tif 000008
【図７】
2020155118.tif 000009
【図８】
2020155118.tif 000010
【図９】
2020155118.tif 000011
【図１０】
2020155118.tif 000012
【図１１】
2020155118.tif 000013
【図１２】
2020155118.tif 000014
【図１３】
2020155118.tif 000015
【図１４】
2020155118.tif 000016
【図１５】
2020155118.tif 000017
【図１６】
2020155118.tif 000018
【図１７】
2020155118.tif 000019
【図１８】
2020155118.tif 000020
【図１９】
2020155118.tif 000021
【図２０】
2020155118.tif 000022
【図２１】
2020155118.tif 000023
【図２２】
2020155118.tif 000024
【図２３】
2020155118.tif 000025
【図２４】
2020155118.tif 000026
【図２５】
2020155118.tif 000027
【図２６】
2020155118.tif 000028
【図２７】
2020155118.tif 000029